(57)【要約】【課題】卸売市場における取引の自動化に対処した卸売方法を提供する。【解決手段】本発明の卸売方法は、管理サーバが、入力された入庫情報または荷受情報を、入庫商品一覧に登録する処理と、どの仲卸業者がどの卸売業者へどの商品をどれだけ注文したかの卸への注文情報に基づいて、注文の引当を行い、登録された入庫商品一覧における該当する商品の所有者の名義を変更して登録する処理と、仲卸への注文情報に基づいて、当該注文の引当を行い、登録された入庫商品一覧における該当する商品の所有者の名義を変更して登録する処理と、どの所有者の商品を出庫するとの自動倉庫への出庫要求があると、自動倉庫に出庫要求に基づく出庫を指示する処理を行い、出庫が行われると、登録された入庫商品一覧から出庫された商品を差し引いて入庫商品一覧を更新する処理を行う。【選択図】図２
2008117410.tif 000002
【特許請求の範囲】
【請求項１】
複数の卸売業者、複数の仲卸業者、および複数の小売業者が、鮮度保持が必要な商品を商う卸売市場にて、前記商品を荷受した卸売業者が仲卸業者と取引し、前記取引により卸売業者から得た商品を前記仲卸業者が小売業者と取引し、
前記取引された商品が前記卸売業者から前記仲卸業者へ、前記仲卸業者から前記小売業者へと所有者・仕向け先が変遷する卸売方法において、
前記取引に付随する仕分けを、前記荷受けされた商品を入庫する自動倉庫、および前記自動倉庫に入庫された商品の一覧である入庫商品一覧を記憶手段に記憶した管理サーバを利用して簡略化することを可能とする、卸売市場における卸売方法であって、
管理サーバは、
どの卸売業者がどの商品をどれだけ前記自動倉庫に入庫したかという入庫情報の入力、またはどの卸売業者がどの商品をどれだけ荷受したかという荷受情報の入力があると、当該入力された入庫情報または荷受情報を、前記入庫商品一覧に登録する処理と、
前記仲卸業者から前記卸売業者への商品の注文に関する情報であり、どの仲卸業者がどの卸売業者へどの商品をどれだけ注文したかという卸への注文情報に基づいて、当該注文の引当を行い、前記登録された前記入庫商品一覧における該当する商品の所有者の名義を変更して登録する処理と、
前記小売業者から前記仲卸業者への商品の注文に関する情報であり、どの小売業者がどの仲卸業者へどの商品をどれだけ注文したかという仲卸への注文情報に基づいて、当該注文の引当を行い、前記登録された前記入庫商品一覧における該当する商品の所有者の名義を変更して登録する処理と、
自動倉庫に対する出庫に関する要求であり、どの所有者の商品を出庫するとの自動倉庫への出庫要求があると、前記自動倉庫に前記出庫要求に基づく出庫を指示する処理と、
前記出庫が行われると、前記登録された前記入庫商品一覧から前記出庫された商品を差し引いて入庫商品一覧を更新する処理とを行うこと、
を特徴とする卸売市場における卸売方法。
【請求項２】
複数の卸売業者、複数の仲卸業者、および複数の小売業者が、鮮度保持が必要な商品を商う卸売市場にて、前記商品を荷受した卸売業者が仲卸業者と取引し、前記取引により卸売業者から得た商品を前記仲卸業者が小売業者と取引し、
前記取引された商品が前記卸売業者から前記仲卸業者へ、前記仲卸業者から前記小売業者へと所有者・仕向け先が変遷する卸売方法において、
前記取引に付随する仕分けを、前記荷受けされた商品を入庫する自動倉庫、および前記自動倉庫に入庫された商品の一覧である入庫商品一覧を記憶手段に記憶した管理サーバを利用して簡略化することを可能とする、卸売市場における卸売方法であって、
管理サーバは、
どの卸売業者がどの商品をどれだけ前記自動倉庫に入庫したかという入庫情報の入力、またはどの卸売業者がどの商品をどれだけ荷受したかという荷受情報の入力があると、当該入力された入庫情報または荷受情報を、前記入庫商品一覧に登録する処理と、
前記仲卸業者から前記卸売業者への商品の注文に関する情報であり、どの仲卸業者がどの卸売業者へどの商品をどれだけ注文したかという卸への注文情報に基づいて、当該注文の引当を行い、前記登録された前記入庫商品一覧における該当する商品の仕向け先を登録する処理と、
前記小売業者から前記仲卸業者への商品の注文に関する情報であり、どの小売業者がどの仲卸業者へどの商品をどれだけ注文したかという仲卸への注文情報に基づいて、当該注文の引当を行い、前記登録された前記入庫商品一覧における該当する商品の仕向け先を登録する処理と、
自動倉庫に対する出庫に関する要求であり、どの仕向け先へ出荷する商品を出庫するとの自動倉庫への出庫要求があると、前記自動倉庫に前記出庫要求に基づく出庫を指示する処理と、
前記出庫が行われると、前記登録された前記入庫商品一覧から前記出庫された商品を差し引いて入庫商品一覧を更新する処理とを行うこと、
を特徴とする卸売市場における卸売方法。
【発明の詳細な説明】
【技術分野】
【０００１】
本発明は、卸売市場などに関連した、卸売方法に関する。
【背景技術】
【０００２】
魚介類、食肉類、青果物、花卉などを取り扱う卸売市場（水産物卸売市場、食肉卸売市場、青果物卸売市場、花卉卸売市場・・）が各都市に設けられている。この卸売市場での取引を、図２５（非特許文献１参照）を参照して説明する。図２５は、青果などの卸売市場で行なわれる取引を説明する流れ図である。図中、太い枠で囲まれた部分が卸売市場Ｍである。
【０００３】
図２５に示すように、出荷者Ｓから出荷されて卸売市場Ｍに入荷された商品（荷物）は、せり売り（競売）、入札売りや相対取引によって、卸売業者Ｗ１（第１の卸売業者）から仲卸業者Ｗ２（第２の卸売業者）や売買参加者Ｂに販売される。仲卸業者Ｗ２は、小売商Ｒや売買参加者Ｂに相対売りによって商品を販売する。小売商Ｒは仲卸業者Ｗ２から購入した商品（荷物）を最終の消費者Ｃに販売する。また、売買参加者Ｂは、卸売業者Ｗ１や仲卸業者Ｗ２から購入した商品を、自前で消費者Ｃに販売したり、自前で消費したりする。なお、図２５の出荷者Ｓや市場内業者Ｗの内容は、次のとおりである。
【０００４】
〔出荷者〕
まず、出荷者Ｓを説明する。出荷者Ｓは、生産者Ｓ１、出荷団体Ｓ２、集荷業者Ｓ３、輸入業者Ｓ４を総称したものである。ちなみに、集散市場的性格の強い大都市の卸売市場Ｍにあっては、出荷者Ｓの範囲は全国に及んでいる。
【０００５】
この出荷者Ｓのうち、生産者Ｓ１は、農家・漁家・漁業会社・食品加工業者など自ら卸売市場Ｍで取り引きされる産品（商品）を生産する者をいう。生産者Ｓ１が直接卸売市場Ｍに出荷するものとしては、水産物では近海鮮魚類・冷凍魚・塩干加工品・貝類・淡水魚などがある。農作物では、近県で栽培される軟弱野菜が主なものである。食肉では豚が比較的多い。花卉は主に近県の切枝、鉢物などを中心に出荷される。
【０００６】
出荷団体Ｓ２は、農業協同組合・漁業協同組合・園芸組合・出荷組合など、生産者Ｓ１が共同して出荷する組織体をいう。農産物や花卉は、この形態により出荷されるものが主流であるが、水産物においては少ない。
【０００７】
集荷業者Ｓ３は、いわゆる産地仲買人と称する者であり、生産者から自己の計算によって生産物を買い付けて市場に出荷する者をいう。農産物においては、特定の地域における特定の商品について僅かに見受けられるに過ぎないが、水産物については産地市場の発達と相まって、鮮魚の約３分の２が、また、食肉については全体の２割が、集荷業者Ｓ３によって出荷されている。
【０００８】
輸入業者Ｓ４は、広義の集荷業者Ｓ３であり、国内の需要を満たすために、水産物、青果物、食肉、花卉などの生鮮食料品などを輸入し、市場に出荷する者をいう。
【０００９】
〔市場内業者〕
次に、市場内業者Ｗを説明する。市場内業者Ｗは、卸売業者Ｗ１、仲卸業者Ｗ２、売買参加者Ｂなどを総称したものである。
【００１０】
このうち、卸売業者Ｗ１は、農林水産大臣の許可を得て、出荷者Ｓから販売委託された商品を仲卸業者Ｗ２や売買参加者Ｂに卸売する者をいう（集荷した商品を卸売する者）。卸売業者Ｗ１は、商品の特性に応じて「せり売り」、「入札売り」、「相対取引（予約相対取引を含む）」などの方法により、商品の卸売（販売）を行なう。卸売業者Ｗ１は、その卸売金額に対し一定の料率による手数料を収受する。また、図示を省略したが、卸売業者Ｍは、卸売市場Ｍに入荷した荷物の他市場への転送も行なう。
卸売業者Ｗ１の集荷方法は、出荷者Ｓからの販売委託による「受託集荷」が原則となっているが、特定の商品及び特定の事情がある場合は、例外的に自己の計算による「買付集荷」が認められている。卸売業者Ｗ１は、単に受託又は買い付けた商品を販売するだけではなく、集荷機能という重要な役割を担っている。なお、卸売業者Ｗ１相互の過度な集荷競争を排除して、生産者Ｓ１と消費者Ｃの利益を保護するために、卸売業者Ｗ１の数は、卸売市場Ｍの規模に応じた定数を定めて許可している。
【００１１】
仲卸業者Ｗ２は、市場開設者の許可を得て、卸売業者Ｗ１が行なう売買取引に参加し、購入した（仕入れた）商品を市場内の店舗で仕分けし、又は調整して販売する者をいう。販売先は、小売商Ｒや売買参加者Ｂである。仲卸業者Ｗ２は、卸売業者Ｗ１と並んで、市場機構の中心を成すものであり、その主な役割は商品の「評価」及び「分荷」である。
【００１２】
売買参加者Ｂは、小売商・加工業者・地方卸売市場業者・大口消費者などのうち、市場開設者の承認を受けて、卸売業者Ｗ１が行なう卸売に、仲卸業者Ｗ２と同じ立場で参加できるものをいう。売買参加者Ｂには、仲卸業者Ｗ２と同様の「評価機能」と「分荷機能」が求められている。また、図２５に示すように、売買参加者Ｂは、仲卸業者Ｗ２から相対売りにより商品を仕入れることも行なう。ちなみに、売買参加者Ｂの数は、青果や花卉では多く、水産では少ない。なお、売買参加者Ｂの数が多くなると、仲卸業者Ｗ２を経ないことによる中間経費の節減が期待できる反面、取引単位の大型化と諸経費の節減・機械化など仲卸業者Ｗ２の役割による取引の合理化の要請に反するという両面の性格を持っている。
【００１３】
〔その他〕
その他、市場内業者Ｗとは異なるが、買出人（例えば小売商Ｒ）が卸売市場Ｍに出入りしている。買出人は、卸売市場Ｍにおいて卸売業者Ｗ１から商品を直接買い受ける資格を持たずに、仲卸業者Ｗ２から購入する者である。つまり、卸売市場Ｍで購入した商品を再販売する小売商・地方卸売市場業者・購入した商品を原料として食料品その他を生産し販売する加工業者・購入した商品を自ら消費する大口消費者（病院・学校・職場における給食など）及び飲食業者などである。大規模な卸売市場Ｍの場合、買出人の数は数万人／日に達するとみられ、その地理的範囲は、相当の広範囲に及ぶ。
【００１４】
【非特許文献１】東京中央卸売市場「市場のしくみ」［平成１４年１２月１２日検索］、インターネット＜ＵＲＬ：http://www.shijou.metro.tokyo.jp/frame03.html＞
【発明の開示】
【発明が解決しようとする課題】
【００１５】
ところで、卸売市場Ｍは膨大な量の商品（荷物）が場内を行き交うことを前提として設計されている。しかし、卸売市場Ｍの評価が高まって商品が多く集荷されるようになると、図２６に示すように卸売場（競売場などを含む）が狭くなり、例えば、荷捌（商品を送り先別に仕分けする作業）などのためのスペースが不足するようになる。特に大都市の卸売市場は、取り扱う商品の品目や量が多く、国内や国外のあらゆる産地や出荷地などから各種商品が集められるので手狭になり易い。こうなると、他人の商品の間をぬって目的の商品の引取を行なわなければならなくなる。また、目的の商品が奥にあると手前の商品を退けてから取り出すことになる。また、商品を退けるためにフォークリフトを借りて作業せざるを得ない場合が生じる。このような状況になると、作業にいたずらに時間と手間がかかる。このため、限られた時間帯で作業を完了しようとすると、いきおい人海戦術に頼らざるを得ず、非効率的で労働負荷が高くなり、これがさらなる混雑に拍車を掛けることにもなる。ちなみに、仲卸業者Ｗ２などは、商品の引当という行為の後に卸売業者Ｗ１が商品に張り付けた帳票（卸売市場によっては「割符」ということもある）を目印にして商品の引取を行なうが、なかなか引き取られない場合があり、これが荷捌場や卸売場などのスペースを狭くする原因にもなっている。
【００１６】
また、仲卸業者Ｗ２は、商品の引取を行なった後に仕向け先（出荷先）別に商品を仕分ける必要があるが、この仕分のためには少なからぬ作業スペースと少なからぬ労力を必要とする。ここで、広い作業スペースと多くの労力は、商品のコストに反映するので好ましくない。
【００１７】
また、卸売市場Ｍでは種々の作業を行なっているが、例えば図２７に示すように加工（例えば商品を小分けなどする作業）の動線と仕分などの荷捌の動線が交錯することが日常的に発生しており、これがそれぞれの作業効率を大幅に低下する原因になっている。ちなみに、この図２７では、卸売市場Ｍに入荷された商品は冷蔵庫に入庫される。商品は途中、冷蔵庫から出庫されて流通加工（加工）がなされ、再度冷蔵庫に入庫される。そして、最後に出庫されて荷捌され、車両に積まれて卸売市場Ｍから出荷される。
【００１８】
また、冷蔵庫の収容スペースが充分でない場合は、冷蔵庫に入りきらない商品が野ざらし（荷降しした屋外の場所に割符を貼った状態で商品を放置）になったりする。このような野ざらしは、商品を置いたり作業をしたりするスペースの面からも商品の鮮度（品質）の面からも好ましくない。また、冷蔵庫の収容スペースに空きがあっても、なかなか冷蔵庫に入れられずに、屋外などに放置される場合もある。
【００１９】
さらに、卸売市場における取引形態が、卸売業者が荷物の集荷だけでなく、荷物の分荷をも行ない、仲卸業者の業務をも兼務する形態が存在する卸売市場、あるいは将来、卸売業者が、仲卸業者を介さず、集荷した荷物をそのまま、又は分荷あるいは加工して、直接、売買参加者などに販売する取引形態となることも予想される。そうした卸売市場における取引形態の変化に対応して、卸売市場として充分な機能を発揮できる卸売方法、仕入方法、並びに卸売支援システムを構築することが求められる。
【００２０】
そこで、本発明は、このような課題を解決した卸売方法を提供することを主たる課題とする。
【課題を解決するための手段】
【００２１】
上記課題に鑑み、本発明は、自動倉庫又は倉庫内から荷物を庫外に出すことなく商い（取引）が行なわれるようにした。
【発明の効果】
【００２２】
以上説明した本発明は、作業の負担を大幅に低減することができる。また、取引（商い）の自動化に貢献する。また、省スペース化を図れる。
【発明を実施するための最良の形態】
【００２３】
以下、本発明の卸売方法の実施形態を、集荷及び分荷用の建物（以下「建物」と省略する）のレイアウトとともに、図面を参照して詳細に説明する。なお、以下に説明する実施形態は、卸売業者と仲卸業者が並存する卸売市場を例に採り説明するが、以下の記述中の仲卸業者を卸売業者と読み替えれば、卸売業者の一部が仲卸業者の業務を兼業している形態の卸売市場、あるいは仲卸業者が存在せず卸売業者が集荷及び分荷を行う形態の卸売市場に本発明を適用した実施形態を理解することができる。
【００２４】
〔建物のレイアウトなど〕
まず、建物のレイアウトなどを、図面を参照して説明する。
図１は、建物の模式的な斜視図である。図２は、図１の建物の各階平面図であり、（ａ）は３階の模式的平面図を、（ｂ）は２階の模式的平面図を、（ｃ）は１階の模式的平面図を、それぞれ示す。図３は、自動倉庫の入出庫部の模式的な構成を示す図である。
【００２５】
図１及び図２に示すように、建物１０は、自動倉庫１０ａを備え、屋上１４が駐車場１４ａになった３階建ての建物であり、青果物を商う図示しない卸売市場の場内、つまり「荷物の集荷と該集荷された荷物の分荷が行なわれる場所」に建設される。ちなみに、この建物１０は、それ自体で、荷扱（荷受、入出庫、引当…）を自動化した青果物市場として機能するものである。
【００２６】
図２（ｃ）に示すように、建物１０の１階１１（つまり地上階）は、荷受場１１ａ、転送場１１ｂ、競売場１１ｃ、仲卸店舗１１ｄ、第１入出庫部１１ｅ、第２入出庫部１１ｆ、などがレイアウトされている。図２（ｂ）に示すように、建物１０の２階１２は、加工場１２ａ、卸事務所１２ｃ、仲卸事務所１２ｄ、第３入出庫部１２ｅなどがレイアウトされている。図２（ａ）に示すように、建物１０の３階１３は、荷捌場１３ａ、出荷場１３ｂ、電算室１３ｃ、第４入出庫部１３ｅなどがレイアウトされている。なお、符号Ｐｔはパレタイザであり（図８参照）、商品をパレットに積む機能を有する。
【００２７】
ちなみに、図２（ｃ）に示す第１入出庫部１１ｅは、荷受場１１ａで荷受（入荷）された商品の入庫、及び転送場１１ｆで商品を転送するための出庫に主として使用される入出庫部である。第２入出庫部１１ｆは、競売、店頭渡し（店頭売り）、その他の荷受などに使用される入出庫部である。図２（ｂ）に示す第３入出庫部１２ｅは、加工や仕分けのための入出庫を主として行なう入出庫部である。図２（ａ）の第４入出庫部１３ｅは、荷捌や出荷のための入出庫（出庫）を主として行なう入出庫部である。なお、第４入出庫部１３ｅは、出庫して荷捌場１３ａで荷捌した商品を一旦入庫して時間調整を行ない、その後出庫して出荷場１３ｂから出荷する場合があるので、出庫ばかりが行なわれるものではない。
ここで、「集荷された荷物を前記自動倉庫に入庫する入庫場所」は、本実施形態では、荷受を行なう第１入出庫部１１ｅ（荷受場１１ａ）を意味する。また、本実施形態では、荷受を行なう第２入出庫部１１ｆも当該入庫場所に該当するといえる。なお、荷受場１１ａは、道路とのアクセスがよい場所に設けるのがよい。また、荷受場１１ａは大型の車両が行き来するので、建物１０の構造上、重量に耐えられるような場所（本質的に重量に耐えられる場所）に設けるのがよい。本実施形態でのこのような場所は、建物１０の１階（地上階）１１である。ちなみに、本質的に重量に耐えられる場所である１階１１に荷受場１１ａを設けた本実施形態のレイアウトは、建物１０の建設費を安くすることができるレイアウトでもある。
【００２８】
また、図１に示すように、建物１０の２階１２の天井までの高さは、１階１１や３階１３に比べて低くなっている。これは、２階１２で行なう作業が大型の機器や車両によるものではないためである。このように天井を低くすることで、建物１０全体としての高さを低くすることができて、建設費の削減などの観点から好ましい。また、図１に示すように、建物１０には、地上から３階１３にある出荷場１３ｂへの車両入路Ｒ１が設けてある。また、建物１０には、３階１３にある出荷場１３ｂから地上への車両退路Ｒ２が設けてある。さらに、３階１３から屋上１４への車両通路Ｒ３が設けてある（屋上１４は駐車場になっている）。これにより、例えば４ｔｏｎ車両が３階１３に上って出荷作業したり、屋上１４に上って駐車場で待機したりすることができる。また、買出人が、乗り付けた車を屋上１４で駐車することができる。これにより、建物１０の周囲に設けるべき駐車場のスペースを削減したり、不要にしたりすることが可能になる。
【００２９】
また、図２に示すように、自動倉庫１０ａは、この建物１０の１階１１から３階１３に渡って配置されている。このように、自動倉庫１０ａが、建物１０の１階１１から３階１３に渡って配置されることにより、各階１１，１２，１３での自動倉庫１０ａから荷物（商品）の入出庫が容易になる。
【００３０】
加えて、図２に示すように、自動倉庫１０ａは、平面視して長方形の建物１０の一方に偏倚して配置されている。このように、自動倉庫１０ａを建物１０の一方に偏倚して配置することにより、空いた広いスペースを、１階１１においては競売場１１ｃ及び仲卸店舗１１ｄに充て、２階１２においては加工場１２ａ及び仲卸事務所１２ｄに充て、３階１３においては荷捌場１３ａと出荷場１３ｂに充てることができる。よって、広いスペースで、競売、小売、加工、仕分け、荷捌、出荷、事務などが行なえる。
【００３１】
なお、図１及び図２から明らかなように、本実施形態の建物１０は、自動倉庫１０ａを介して（自動倉庫１０ａを上下方向の搬送装置として）、建物１０を立体的に使用しているので、従来のように（図２７参照）、入荷（荷受）、転送、競売、加工、荷捌、出荷の動線が交錯することがなく、各作業をスムースに行なうことができる。ちなみに、２階１２と３階１３とを入れ換えても、具体的には、２階に荷捌場と出荷場を配置し、３階に加工場などを配置するようなレイアウトにしても、動線が交錯することがなく、円滑な作業を行なうことができる（この場合は、２階の天井の高さを高くし、３階の天井の高さを低くするとよい）。
【００３２】
〔自動倉庫〕
図２に示す自動倉庫１０ａの内部は、多段にラック組みされて立体式になっており、大きな収納スペースを有する。また、自動倉庫１０ａは、商品を水平方向及び垂直方向に自動的にケース単位で搬送する自動水平垂直搬送装置、商品のラックへの載置及びラックからの取り出しをケース単位で自動的に行なう自動載置取出し装置（以上図示外）、並びにこれら装置の動作を管理する制御装置（図５（ａ）に示す自動倉庫コントローラ）が備わっている。このため、商品の入出庫、商品の移動（例えば１階１１から２階１２や３階１３への移動など）を簡単な操作で行なえ、大幅に人手の作業を省くことができる。また、商品を紛失することがない。また、自動倉庫内には人間が立ち入れないようになっているので、商品を盗難されたりすることが防止される。
【００３３】
また、この自動倉庫１０ａは、内部が隔壁により複数の空間に区画されており、かつ冷凍機による空調が各空間に行なわれ、自動倉庫１０ａが冷蔵倉庫及び定温倉庫として機能するようになっている。この機能を実現するため、自動倉庫１０ａには、図示しない冷凍機で発生した熱媒が各空間に供給され、しかも温調手段により熱媒の量を制御して温度調節できるようになっている。また、省エネルギを図るため、自動倉庫１０ａは気密性がよくしてある。従って、自動倉庫１０ａに入庫された商品を適切な温度で保持でき、入庫中（保管中）に商品の品質が変化することがない（品質の変化が抑制される）。また、消費エネルギも少なく抑えることができる。ちなみに、青果物の場合、最適な保管温度はそれぞれ種類によって異なり、例えば熱帯の果物などは低温を嫌う。このため、本実施形態の自動倉庫１０ａは、各空間の温度を個別に設定できるようになっている。なお、商品が自動倉庫１０ａに保管されている期間は短期間（長くて３日程度）である。ちなみに、出荷調整に自動倉庫１０ａを利用することも可能である。
【００３４】
〔入出庫部〕
図２に示す各入出庫部１１ｅ，１１ｆ，１２ｅ，１３ｅは、図３に示すようにループ式搬送台車ＬＣが連携されており、自動倉庫１０ａに対する商品の入出庫が容易に行なえるようになっている。また、この図３から判るように、各入出庫部１１ｅ，１１ｆ，１２ｅ，１３ｅは、単一の入出庫口ではなく、ループ式搬送台車ＬＣと連携した複数のバースＢから構成されている。このため、自動倉庫１０ａへの入出庫を迅速に行なうことができ、入庫や出庫のために順番待ちの長蛇の列ができることはない。また、各バースＢには、入出庫部表示盤Ｐが設けてあり、入出庫が確実に行なえるようになっている。
【００３５】
さらに、１階１１の各入出庫部１１ｅ，１１ｆ（荷受場１１ａ、転送場１１ｂ）には、商品をケースごとに個別管理可能にするため、図８に示すような画像認識装置と物流ラベル発行装置を備えた荷受端末１３０ａ，１３０ｂ，１３０ｃが設置され、入庫される商品ごとに物流ラベルを発行し、商品のケースに貼付するようになっている。また、各入出庫部１１ｅ，１１ｆ，１２ｅ，１３ｅには、商品をケースごとに個別管理可能にするため、図示しないラベルリーダが設置され、商品のケースに貼付された物流ラベルの情報を読み取るようになっている。また、２階１２で小分け作業を行なうと商品の荷姿が新たなものになる場合がある。よって、新たな荷姿になった商品に新たな物流ラベルを貼付するため、２階１２の第３入出庫部１２ｅには、図示しないラベル発行装置が設置されている。なお、ラベルリーダが読み取った情報は、入庫情報、出庫情報としてタイムスタンプ付きで管理サーバ１００（図４参照）に送信されるようになっている。また、物流ラベルの発行の際には、後述するように荷受情報がタイムスタンプ付きで管理サーバ１００に送信されるようになっている。
【００３６】
〔荷受場〕
１階１１の荷受場１１ａは、例えば１０ｔｏｎ車両（含む１１ｔｏｎ車両）などで卸売市場に入荷された商品を荷受する場所である。荷受は、１０ｔｏｎ車両からの商品の荷降し、商品への物流ラベルの発行・貼付、第１入出庫部１１ｅからの自動倉庫１０ａへの商品の入庫の作業がこの順に行なわれる。なお、商品の荷受は、１階１１の競売場１１ｃ側の第２入出庫部１１ｆからも行なわれることがある。
【００３７】
〔転送場〕
１階１１の転送場１１ｂは、入荷された商品のうち、他の市場に転送する商品を自動倉庫１０ａから出庫して、１０ｔｏｎ車両などに荷積みする場所である。商品の出庫は、第１入出庫部１１ｅから行なわれる。出庫された転送分の商品は、図２（ｃ）に示すパレタイザＰｔによりパレット積みされた後、１０ｔｏｎ車両に荷積みされる。なお、本実施形態の転送場１０ｂは荷受作業も行なえるようになっており、逆に、荷受場１０ａは転送作業も行なえるようになっている。
【００３８】
〔競売場・仲卸店舗〕
建物１０の１階１１に配置された競売場１１ｃは、見本せり（競売）などが行なわれる場所である。この見本せりは、卸売業者と仲卸業者との間で行なわれる。仲卸店舗１１ｄは、仲卸業者が小売業者などに卸売業者から仕入れた商品を販売する（卸す）店舗である。仲卸店舗１１ｄは、原則として仲卸業者の数だけ存在する。なお、競売場１１ｃは、自動倉庫１０ａ（第２入出庫部１１ｆ）と仲卸店舗１１ｄの間に配置されている。このように配置したのは、競売場１１ｃでの見本せりを行ない易くするためである。なお、この実施形態では、仲卸業者に、図２５に示す売買参加者Ｂを含めることとしてもよい。売買参加者Ｂは、仲卸業者と同様に、卸売業者から商品を直接仕入れることができるからである。
【００３９】
〔加工場・卸事務所など〕
建物１０の２階１２に配置された加工場１２ａは、自動倉庫１０ａに入庫された商品を途中で取り出して加工（小分け販売仕分け）するための作業スペースとして使用されるものである。加工は、仲卸業者や売買参加者が、仕入れた商品に対して施す作業である。作業内容としては、例えば小分けやリパック、販売先用のバーコードの貼付、不可食部の除去などである。ちなみに、この実施形態では、商品は第３入出庫部１２ｅから出庫され、加工された商品は再び第３入出庫部１２ｅから入庫されるようになっている（荷姿が変わった場合は、新たな流通ラベルが商品のケースなどに貼付される）。なお、ここでの加工は、商品を仕分けする作業だけでなく、商品の形態・性質を変える作業を含むものとする。例えば、味つけなどのために食品を調理する作業、野菜や果物をカットしたり絞ったりする作業、あるいは細かい商品を袋などに詰める作業、盛り付けを行なう作業、（鮮魚市場であれば魚などを解体して各部位に分ける作業）、などの各種作業を含むものとする。もちろん、商品の箱詰めや小分けなどの、流通加工と呼ばれている作業のみを行なうこととしてもよい。
【００４０】
建物１０の２階１２に配置された卸事務所１２ｃは、卸売業者が事務を行なう場所である。また、仲卸事務所１２ｄは、仲卸業者が事務を行なう場所である。卸事務所１２ｃ及び仲卸事務所１２ｄは、原則としてそれぞれの数だけ存在する。なお、卸事務所１２ｃは、荷受場１１ａ、転送場１１ｂの上（直上）に配置される。これは、階段やエレベータを設けることで、２階１２にある卸事務所１２ｃと１階１１にある荷受場１１ａや転送場１１ｂとのアクセスが容易になるからである（荷受及び転送は卸売業者が主として行なう作業であるので、このような配置は卸売業者にとって都合がよい）。一方、仲卸事務所１２ｄは、仲卸店舗１１ｄの上（直上）に配置される。これは、階段やエレベータを設けることで、２階１２にある仲卸事務所１２ｄと１階１１にある仲卸店舗１１ｄとのアクセスが容易になるからである（自分の店舗に行き易いので、このような配置は仲卸業者にとって都合がよい）。
なお、加工場１２ａは、自動倉庫１０ａ（第３入出庫部１２ｅ）と仲卸事務所１２ｄの間に配置されている。このように配置したのは、加工場１２ａでの加工（小分け販売仕分け）を行ない易くするためである。
【００４１】
〔荷捌場・出荷場など〕
建物１０の３階１３に配置された荷捌場１３ａは、商品の出荷に際して自動倉庫１０ａに入庫された商品を第４入出庫部１３ｅから取り出して荷捌するための作業スペースとして使用されるものである。荷捌は、出荷が決まっている商品を出荷先別に仕分ける作業であるが、商品は、必要に応じてカゴ車積みやパレット積みされる。パレット積みに際しては、パレタイザＰｔが利用される。なお、荷捌の対象になるのは、例えば仲卸業者と取引を行なっている大手量販店向けの商品が主である。荷捌された商品は、そのまま出荷場１３ｂから出荷されるが、場合によっては、一旦自動倉庫１０ａに入庫され（時間調整などのための入庫）、その後に出荷される場合がある（この再度の入庫を前提とした荷捌では、カゴ車積みやパレット積みはなされない）。ちなみに、大手量販店は、品揃えの手間や加工作業の手間を省くことを考えて、仲卸業者から商品を仕入れることが多い。
【００４２】
建物１０の３階１３に配置された出荷場１３ｂは、荷捌された商品を車両に荷積みする場所である。出荷に使用される車両は、主として４ｔｏｎ車両である。ちなみに、４ｔｏｎ車両かそれよりも小型の車両でのみ出荷場１３ｂから出荷する場合は、重量のある例えば１０ｔｏｎ車両を３階１３にまで上げる必要がないので、建物１０の建設コストを安価にできる。なお、１０ｔｏｎ車両で出荷する場合は、１階１１の第１入出庫部１１ｅや第２出庫部１１ｆから商品を出庫して、１０ｔｏｎ車両に荷積みするようにすることができる。
【００４３】
〔情報システム〕
情報システム（卸売支援システム）を説明する。
図４は、情報システムの概略構成を示す図である。図５は、図４の管理サーバの構成を示すブロック図である。
【００４４】
図２及び図４を参照してサーバや端末の配置を、３階１３から順に説明する。図４に示すように、３階１３には、管理サーバ１００と管理端末１０１が電算室１３ｃに配置されている。なお、管理サーバ１００は情報システムの中核をなし、「コンピュータ」に相当するものである。また、３階１３の第４入出庫部１３ｅの近傍には入出庫端末１４０ｄが配置されている。
【００４５】
２階１２には、卸端末１１０が卸事務所１２ｃに、仲卸端末１２０が仲卸事務所１２ｄに、入出庫端末１４０ｃが第３入出庫部１２ｅの近傍に、それぞれ配置されている。また、１階１１には、店舗端末１２１が仲卸店舗１１ｄに、荷受端末１３０ａ，１３０ｂが荷受場１１ａと転送場１１ｂ（第１入出庫部１１ｅの近傍）に、荷受端末１３０ｃが第２入出庫部１１ｆの近傍に、入出庫端末１４０ａが第１入出庫部１１ｅの近傍に、入出庫端末１４０ｂが第２入出庫部１１ｆの近傍に、それぞれ配置されている。なお、卸端末１１０、仲卸端末１２０、仲卸店舗端末１２１は、それぞれ複数台（業者の数、店舗の数に応じた台数）存在する。また、以下の説明において、荷受端末１３０との記載は、荷受端末１３０ａ，１３０ｂ，１３０ｃを総称したものである。同様に、出荷端末１４０との記載は、出荷端末１４０ａ，１４０ｂ，１４０ｃ，１４０ｄを総称したものである。
【００４６】
各端末１０１，１１０，…は、管理サーバ１００及び他の端末１２０，１２１…と、バス型（及びスター型）のＬＡＮ（Local Area Network）で接続され、相互に通信を行なえるようになっている。また、管理サーバ１００の記憶装置１００ａ（図５（ａ）参照）に記憶された各種ファイルにアクセスしてデータを読み出したり書き込んだり（登録したり）することができるようになっている。また、荷受時の商品の登録、入出庫の指示を行なえるようになっている。さらに、商品の売買（商い）などを行なえるようになっている。
【００４７】
なお、管理サーバ１００は、図５（ａ）に示すような構成をしている。このうち、主制御装置１００ａは、ＣＰＵ（Central Processing Unit）やＲＡＭ（Random Access Memory）などから構成され、ＯＳ（Operating System）、卸売支援プログラム、自動倉庫管理プログラムなどが展開・起動している。卸売支援プログラムについての機能の詳細は、後に行なう説明の際に明らかにする。記憶装置１００ｂは、ハードディスクなどから構成され、種々のデータを記憶している。なお、記憶しているデータの詳細は、後に行なう説明の際に明らかにする。入出力装置１００ｃはキーボード、マウスなどから構成されている。通信制御装置１００ｄは、ＬＡＮ接続用のアダプタであるＮＩＣ（Network Interface Card）などから構成され、各端末１０１，…とのＬＡＮ接続を実現する。ちなみに、各端末１０１，…も、管理サーバ１００と同様のハードウェア構成をしている。
【００４８】
図５（ａ）に示す自動倉庫管理プログラムの入出庫管理機能を、図５（ｂ）を参照して説明する。図５（ｂ）は、入出庫管理機能を機能展開したブロック図である。
入出庫管理機能における荷受管理部は、荷受端末１３０（図４など参照）からの荷受情報（後記する表１参照）を入力して、これを入庫商品一覧に登録する機能を有する。一方、入出庫管理部は、入出庫端末１４０（図４など参照）からの入庫要求や出庫要求を受け付け、入出庫商品一覧を参照して入庫指令や出庫指令を生成し、自動倉庫１０ａ（図２参照）を駆動制御する自動倉庫コントローラ（図４には不図示）に入出庫の指示を与える機能を有する。なお、出庫要求は、例えば「仲卸Ａのみかん５０箱を第３入出庫部から出庫」するというように、出庫に係る商品の所有者（出庫要求者）、品目、数量、出庫場所を指定した情報である。また、例えば「小売Ａに出荷するみかん５０箱を第４入出庫部から出庫」するというように、出庫に係る商品の出荷先、品目、数量、出荷場所を指定した情報である。あるいは、「小売Ａの商品を出庫する」というように、出荷先だけを指示する簡略化した情報でもよい。このような出庫は、例えば出荷先と出庫に係る商品とを紐付けしておくことにより実現できる。
また、入出庫管理部は、前記したラベルリーダが商品の入出庫の際に読み取った物流ラベルの情報を、入庫情報及び出庫情報として入力し、入庫商品一覧の情報を更新する機能を有する（実際の商品の入出庫の動きを把握）。ちなみに、入庫商品一覧は、例えば入庫されている商品の商品ＩＤ、品目、保管位置、荷受時間などの必須情報と、所有者、出荷先などの付随情報から構成されている。この入庫商品一覧は、図５（ａ）に示す記憶装置１００ｂに記憶されている。
【００４９】
〔商品の所有者の変遷・商品の動き〕
本実施形態では、卸売業者、仲卸業者及び小売業者が、以上説明した建物１０を利用して商品を商うが、この際における商品の所有者の変遷、商品の動きなどを、図６及び図７を参照して説明する。
【００５０】
図６を参照して、「商品の所有者の変遷」を説明する。
図６（ａ）は、卸売業者（この図ではＡ卸）の日常の商いを所有者の変遷に着目して説明する図であるが、この図６（ａ）に示すように、Ａ卸は前日迄Ａ卸ストックを所有している。そして、この前日迄Ａ卸ストックに産地から集荷した商品（当日入荷品）が加わる。これが、ある日にＡ卸が所有している商品になる（即納可能な商品）。そして、Ａ卸がこの商品を、予約相対や事前販売で、仲卸業者（Ａ仲卸、Ｂ仲卸、…）に卸売する。また、相対や競売で仲卸業者（Ａ仲卸、Ｂ仲卸、…）に卸売する。また、他の市場（ａ市場、ｂ市場、…）に転送する。予約相対や事前販売も、相対や競売も、転送もされなかった商品が、Ａ卸ストック（前日迄Ａ卸ストック）になり、翌日以降の商いに充てられる。なお、ストックは、急な注文に対して商品の即納を可能にするなど、単に売れ残った商品とは意味合いが異なる。
【００５１】
図６（ｂ）は、仲卸業者（この図ではＡ仲卸）の日常の商いを所有者の変遷に着目して説明する図であるが、この図６（ｂ）に示すように、Ａ仲卸は、前日迄Ａ仲卸ストックに加えて、Ａ卸、Ｂ卸から仕入れた当日仕入品が加わる。これが、ある日にＡ仲卸が所有している商品になる（即納可能な商品）。Ａ仲卸は、この商品の中から注文品を販売する。この図の例では、注文品はケース販売として、Ａ小売、Ｂ小売、Ｃ小売、…に販売される。また、注文品の一部は、小分け販売としてＡ小売、Ｂ小売に販売される。また、生じた余りは翌日以降の販売に回される（前日迄Ａ仲卸ストックになる）。注文品以外は、前記説明した仲卸店舗１１ｄ（図２参照）で店頭販売される。そして、注文販売も、店頭販売もされなかった商品がＡ仲卸ストック（小分けに係る余りと共に前日迄Ａ仲卸ストックになる）になる。
【００５２】
図６（ｃ）は、小売業者（この図ではＡ小売）向けの出荷品を、仕入先に着目して説明する図であるが、この図６（ｃ）に示すように、Ａ小売には、Ａ仲卸、Ｂ仲卸、Ｃ仲卸から商品が出荷される。つまり、Ａ小売は、Ａ仲卸、Ｂ仲卸、Ｃ仲卸の三者から商品を仕入れている。
本実施形態では、このような所有者の変遷が、建物１０の中で行なわれる。
【００５３】
次に、図７を参照して、「注文から荷捌までの流れ」を説明する。
図７（ａ）は、小売業者の注文が仲卸業者を介して卸売業者に受け付けられるまでの一例を模式的に示す流れ図である。量販店や流通チェーン店などの大手の小売業者（Ａ小売、Ｂ小売）は、仲卸業者に事前に商品を注文する。仲卸業者（Ａ仲卸、Ｂ仲卸）は、各小売業者からの注文に基づいて卸売業者（Ａ卸、Ｂ卸）と予約相対取引などを行なう。これにより、小売業者の注文が、仲卸業者を介して卸売業者に受け付けられる。
【００５４】
図７（ｂ）は、従来の荷捌の流れの一例を示す図である。各仲卸業者（Ａ仲卸、Ｂ仲卸）は、卸売業者（Ａ卸、Ｂ卸）から商品を引き取った上で各小売業者（Ａ小売、Ｂ小売）向けに仕分ける（荷捌する）。小売業者との取引は、品目によって仲卸業者同士で分担することがある。仲卸業者の荷捌作業は、深夜に行なわれることもあって、仲卸業者にとっての作業負担は少なくない。また、荷捌には少なからぬスペースを必要とする。さらには、従来の流れでは待ち時間の間、商品が温度管理のなされていない場所に長時間放置されたりして、商品の品質にとって好ましくない状況があった。
【００５５】
図７（ｃ）は、新しい荷捌の流れの一例を示す図である。例えば、図７（ａ）に示されるような小売業者（Ａ小売、Ｂ小売）から仲卸業者（Ａ仲卸、Ｂ仲卸）への注文情報と仲卸業者（Ａ仲卸、Ｂ仲卸）から卸売業者（Ａ卸、Ｂ卸）への予約相対情報とを対比すれば、卸売業者は小売業者への仕分け情報が作成できる。そして、これに基づいて、荷受と同時に小売向けの仕分けが可能になる。つまり、自動的に仕分けが可能になる。これにより長時間放置（場合によっては野ざらし）という問題を解消できる。また、スペースの問題及び他の作業との動線の交錯の問題を解消できる。なお、予約相対取引に限らず、仲卸業者と小売業者との取引が確定すれば、事前販売なども同様に自動化できる。
ちなみに、本実施形態での自動倉庫１０ａ（図２参照）によれば、入出庫端末１４０から管理サーバ１００に対して出庫要求を発するだけで商品の仕分けが可能であるので、卸売業者が小売業者の注文情報を知らなくとも、仲卸業者（出庫する者）が小売業者の注文を知っていれば小売業者ごとに商品を仕分けできる。
【００５６】
〔商品の入荷から出荷までの具体的な処理〕
次に、前記説明したレイアウトの建物１０での「商品の荷受から出荷まで」を、図８〜図１１を参照して、具体的に説明する（適宜図１などを参照）。
図８の、（ａ）は商品の荷受（及び入庫）を模式的に示す図、（ｂ）は商品の引当を模式的に示す図、（ｃ）は商品の転送を模式的に示す図である。図９の、（ａ）は事前販売を模式的に示す図、（ｂ）は相対や競売の取引を模式的に示す図である。図１０の、（ａ）は店頭渡しを模式的に示す図、（ｂ）は注文品の出荷を模式的に示す図である。図１１の、（ａ）は小分け作業を模式的に示す図、（ｂ）はストック品を模式的に示す図である。
【００５７】
図８（ａ）などを参照して、「商品の荷受」を説明する。
商品の荷受（及び入庫）は、例えば１０ｔｏｎ車両に積載された商品が到着すると、荷受場１１ａ（あるいは転送場１１ｂ、第２入出庫部１１ｆ）に誘導され、ここで荷降しされる。１０ｔｏｎ車両から荷降しされた商品は、図８（ａ）に示すように、ケース（ダンボールケースやコンテナケース）単位でコンベアに流される。このとき、荷受端末１３０に接続された画像認識装置でケースに貼付などされた生鮮ＥＤＩコード（ＥＤＩ；Electronic Data Interchange）や商品名などを読み取る。数量も同様に読み取る。これによって荷受情報が作成される。荷受情報は、次の表１に例示するように、商品ＩＤ、商品情報（品名、等階級、数量…）、荷受時間、荷受者などを含んで構成される情報である。なお、商品ＩＤはケースごとに割り振られるユニークな識別記号であり、ケースごとの管理を可能にするためのものである。また、荷受者は卸売業者である。この荷受情報は、管理サーバ１００に送信され、管理サーバ１００で管理されるようになる。ちなみに、商品ＩＤと商品の所有者の情報は、情報として紐付けされ、商品ＩＤをキーにして商品の所有者を検索できるようになっている。
【００５８】
【表１】
2008117410.tif 000003
【００５９】
また、荷受の際には、荷受情報に基づいて、物流ラベルが物流ラベル発行装置から発行され、商品のケースに１枚ずつ貼付される（図８（ａ）参照）。以後の制御では、各ケースは、この物流ラベルで区別される。なお、物流ラベルの記載事項（記載情報）は、商品ＩＤ、商品情報（品名、等階級、数量…）、荷受時間などである。
【００６０】
荷受されて物流ラベルが貼付された商品は、例えば第１入出庫部１１ｅから直ちに自動倉庫１０ａに入庫される。入庫の際には、前記した図示しないラベルリーダが商品のケースに貼付された物流ラベルの情報を読み取るようになっている。そして、ラベルリーダは、商品ＩＤと入庫時間を含んで構成される入庫情報を管理サーバ１００に送信するようになっている。この入庫処理は、「第１のステップ」及び「ステップＡ」といえるものである。
【００６１】
図８（ｂ）などを参照して、「引当」を説明する。
荷受が確定すると（商品が自動倉庫１０ａに入庫されると）、予め管理サーバ１００に登録されているデータに基づいて、予約相対、転送品の引当が行なわれる（いわば自動で引当が行なわれる）。具体的には、転送品の引当は、仲卸業者からの予約相対の申込みや他市場の卸売業者からの転送の申込みに基づいて、卸売業者が予め作成して管理サーバ１００に登録した引当予定表（例えばみかん１００ケース…）を参照して行なわれる。引当が行なわれると商品の所有者が変更される。管理サーバ１００としては、商品の所有者を商品のケースごと（商品ＩＤごと）に書き変える処理を行なう。あるいは、商品の仕向け先（出荷先）を商品のケースごと（商品ＩＤごと）に書き込む処理を行なう。なお、商品は、自動倉庫１０ａに入庫されたままであり、従来のように、仲卸業者や卸売業者（転送の場合）が引当対象の商品を、フォークリフトなどを使って引き取る作業を行なう必要はない（自動倉庫１０ａは所望の商品を所望の場所から所望の量だけ出庫できる）。このため、仲卸業者や卸売業者の労力が大幅に削減できる。また、作業を行なう必要がなくなることにより、動線が交錯するというような従来の問題が解消されたり、大幅に低減されたりする。また、商品の品質保持にとっても好ましい（物理的な衝撃や温度変化がない）。なお、この処理は、「第２のステップ」及び「ステップＢ」といえるものである。
【００６２】
ちなみに引当は、このように予め登録されているデータに基づいて行なう（自動的に行なう）場合のほか、その都度卸売業者が卸売端末１１０を操作することにより行なうこともできる。引当の状況は、卸売業者、仲卸業者共に事務所１２ｃ，１２ｄに設置した端末１１０，１２０などで参照することができる。但し、本実施形態では、当事者のみの情報だけが参照できるものとする。なお、「引当」は、商品を、誰に割り当てるかや、誰のものにするかなどを決めること、あるいは仲卸業者や小売業者が商品を確保することであり、幾らの値段で「売る」、「買う」などの価格の情報が含まれているか否かは問わない。
【００６３】
図８（ｃ）などを参照して、「転送」を説明する。
各卸売業者は、転送引当品を転送先別に出荷を指示する（転送出荷指示）。出荷は、自動倉庫１０ａからの出庫、パレタイザＰｔによるパレット積み、車両への積載の順に行なわれる。もちろん、出庫された商品をパレット積みすることなく、ケースごとに車両に積載する場合もある。転送に係る商品を積載した車両は、転送先の他の市場に向けて出発する。なお、転送出荷指示は、卸売端末１１０や入出庫端末１３０から行なうことができる。また、転送の作業は、転送作業場１１ｂで行なわれるが、例えば３階１３の出荷場１３ｂなどでも行なうことができる。
【００６４】
図９（ａ）などを参照して、「事前販売」を説明する。
荷受が確定（自動倉庫１０ａに入庫）後、図８の予約相対や転送に引き当てられなかった商品は、未引当品ということになる。仲卸業者は、仲卸事務所１２ｄや仲卸店舗１１ｄに設置してある端末１２０，１２１から各卸売業者の未引当品を検索することができる。検索した結果、仲卸業者が販売開始時刻前（競売の開始時刻前）の卸売業者からの卸売（事前販売）を希望する場合は、希望する商品を選択して卸売業者に申込む（１事前販売申込み）。
【００６５】
卸売業者は、卸売事務所１２ｃや荷受場１２ａに設置した荷受端末１３０ａなどから事前販売申込み一覧の参照と販売の許可を与えることができる（２事前販売許可）。卸売業者が仲卸業者からの事前販売の申込みに対して許可を与えると、その商品は仲卸に引き当てられた事前販売品となる（３該当商品引当）。管理サーバ１００は、商品の所有者を商品のケースごと（商品ＩＤごと）に書き変える処理を行なう。なお、予約相対や転送の際の引当と同様に、商品は、自動倉庫１０ａに入庫されたままであり、従来のように、仲卸業者が引当対象の商品を、フォークリフトなどを使って引き取る作業を行なう必要はない。このため、仲卸業者の労力が大幅に削減できる。また、作業が不要になることにより、動線が交錯するというような従来の問題が解消されたり、大幅に低減されたりする。なお、この事前販売の処理は、「第３のステップ」及び「ステップＣ」といえるものである。
ちなみに、「事前販売」は、同じ品目の商品（Ｓサイズのみかん１０ｋｇ）が、相対や競売で取引された後、その最高価格をもって当該事前販売の販売価格とされる。よって、事前販売に係る商品を引き当ててから（引当があってから）、その商品の販売価格（仲卸業者の買値）が決定するまで、時間を要することになる。
【００６６】
図９（ｂ）などを参照して、「相対・競売」を説明する。
商品の荷受が確定（商品を自動倉庫１０ａに入庫）後、図８の予約相対や転送、図９（ａ）の事前販売に引き当てられない商品（未引当品）の中から卸売業者が商品を選択して、自動倉庫１０ａから相対用・競売用の見本品を出庫する（１商品選択、見本品出庫）。そして、卸売業者は仲卸業者と相対や競売による取引を行なう（２取引）。相対や競売による取引が確定すると、物流ラベルをハンディターミナルから読込み、取引相手（売渡先）である仲卸業者の名前、取引価格、数量などを入力して管理サーバ１００に登録する（３取引結果登録）。なお、相対用・競売用の見本品の出庫は、１階１１の第２入出庫部１１ｆを介して行なわれ、相対や競売による取引は競売場１１ｃで行なわれる。この相対や競売による取引で、見本品を含めて該当する商品の売渡先が確定する。３の取引結果登録があると、管理サーバ１００は、卸売業者から仲卸業者へと商品の所有者を、商品のケースごと（商品ＩＤごと）に書き変える処理を行なう（「名義を書き換える」）。なお、自動倉庫１０ａから出庫する必要があるのは見本品だけであるので、作業の動線が交錯するようなことはない。また、作業の負荷も小さなものである。この相対・競売の処理は、「第４のステップ」及び「ステップＤ」といえるものである。ちなみに、この相対は、事前販売の時間帯とオーバラップして行なわれる場合がある。
ところで、仲卸業者が販売先を予定している場合は、この時点（図９（ｂ）における３の取引結果登録の段階）で販売先の引当を行なうことも可能である。
【００６７】
図１０（ａ）などを参照して、「店頭渡し」を説明する。
仲卸業者は、予約相対、相対、競売で仕入れた商品の中から店頭渡し品を指定することができる（販売先が未確定の商品は、自動的に店頭渡し品になり得る）。店頭渡し品の指定は、仲卸事務所１２ｄ、仲卸店舗１１ｄ、あるいは第２入出庫部１１ｆの端末１２０，１２１，１４０ｂを介して行なうことができる。店頭渡しのための出庫に際しては、仲卸業者は店頭渡し品の一覧から出庫する商品を指示する（例えばみかん２０箱）。この際、特定の箱の商品を出庫するときは、商品ＩＤを指定すればよい。仲卸業者は、第２入出庫部１１ｆから出庫された商品をフォークリフトやターレットなどで、自己の店舗（仲卸店舗１１ｄ）に搬送し、そこで小売業者に相対で販売する。この際、出庫したい自己の商品を例えば端末１４０ｂから指示（図５（ｂ）の出庫指示）するだけで出庫できるので作業が容易である。
【００６８】
図１０（ｂ）などを参照して、「注文品の出荷」を説明する。
注文品（小売業者からの注文品）は、前記説明したように、仲卸業者が予約相対によって卸売業者から仕入れるもの、相対や競売によって卸売業者から仕入れるものがある。本実施形態においては、何れも取引の確定と同時に引当が行なわれている。商品を小売業者に納品するには、つまり商品を建物１０から出荷するには、仲卸業者は、３階１３の第４入出庫部１３ｅを介して小売業者に納品する商品を自動倉庫１０ａから出庫する。出庫の指示は入出庫端末１４０ｄから行なうことができる。出庫された商品は、荷捌場１３ａでパレタイザＰｔを使ってパレット積みされたり、カゴ車に積まれたりする。次に、荷積場１３ｂで４ｔｏｎ車両に積載される。なお、出荷は、小売業者の店舗や集配センタの単位で指定することができる。つまり、例えば集配センタごとの出荷リストが作成されており、入出庫端末１４０ｄから集配センタを指定するだけで、当該センタ向けの商品の出庫を行なえる。
【００６９】
図１１（ａ）などを参照して、「小分け」を説明する。
小売業者への販売が、１ケースに満たない場合もある。この場合、仲卸業者は２階１２の第３入出庫部１２ｅを介して小分けする商品を自動倉庫１０ａから出庫（１商品出庫）して、小分けし（２小分け）、改めて商品情報を登録し（３再入庫登録）、自動倉庫１０ａに再入庫する（４再入庫）。この際の作業は、建物１０の２階１２の加工場１２ａで行なわれる。入出庫の指示は、入出庫端末１４０ｃを利用して行なわれる。商品情報の再登録（入力）や必要に応じての物流ラベルの再発行も入出庫端末１４０ｃを利用して行なわれる。自動倉庫１０ａへの再入庫は第３入出庫部１２ｅを介して行なわれる。なお、加工も小分けと同様に行なうことができる。
【００７０】
図１１（ｂ）などを参照して、「ストック品」を説明する。
既に図６を参照して説明したように、産地から荷受した商品のうち、仲卸業者の引当（他市場への転送）がなかったものは、卸売業者のストックになり翌日以降の取引で引き当てられる。なお、この処理は、「第５のステップ」といえるものである。同様に、仲卸業者が卸売業者から仕入れた商品のうち小売業者の引当がなかった商品（店頭渡しとならなかった商品を含む）は、仲卸業者のストックになり、翌日以降の取引で引き当てられる。本実施形態では、荷受時間を商品ＩＤに紐付して記録しているので、何れのストックも先入れ先出しを容易に行なえる。即ち、ストックになっている商品を優先的に引き当てるようにして、先入れ先出しを行なうことができる。
【００７１】
〔情報システムの動作〕
次に、管理サーバ１００を中核とした情報システムの動作を、図１２〜図１８を参照して説明する（適宜図４及び図５などを参照）。ちなみに、この説明は、図５（ａ）の主制御装置に起動・展開している卸売支援プログラムの機能を説明するものでもある。
なお、ここで参照する図１２は、予約相対を説明するフローチャートである。図１３は、転送を説明するフローチャートである。図１４は、（ａ）が荷受を説明するフローチャートであり、（ｂ）が転送を説明するフローチャートである。図１５は、予約相対品の引当を説明するフローチャートである。図１６は、事前販売品の引当を説明するフローチャートである。図１７は、相対、競売品の引当を説明するフローチャートである。図１８は、小売への販売を説明するフローチャートである。
【００７２】
図１２のフローチャート（シーケンスチャート）を参照して、予約相対における情報システムの動作及び取引の内容を説明する。
ここでの取引は、仲卸業者が小売業者から注文を受けて不足する商品を、卸売業者との予約相対で仕入れるものである。補足すると、ここでの取引は、仲卸業者が商品の入荷（卸売業者の荷受）の前日に小売業者から注文を受けて、該小売業者のために、翌日に入荷（荷受）される商品を予約相対により調達するものである。なお、ここで参照する図１２は、左端の欄は卸売業者が行なう動作、その右隣の欄は仲卸業者が行なう動作、その右隣の欄は小売業者が行なう動作、右端の欄は情報システム（管理サーバ１００）の動作を示している。この点は、後で説明する図１５〜図１８において、同じである。
【００７３】
図１２に示すように、管理サーバ１００には、仲卸業者の前日のストックが、「仲卸ストック」（在庫）として予め記憶されている（Ｓ１０１）。まず、小売業者が仲卸業者に電話で注文を行なう（Ｓ１０２）。仲卸業者は電話での注文に基づいて出荷先が特定（小売業者が特定）された「注文表」を作成し、これを仲卸端末１２０から管理サーバ１００に登録する（Ｓ１０３）。
【００７４】
管理サーバ１００は、「注文表」に基づいて「仲卸→小売仕分情報」を作成する（Ｓ１０４）。さらに、管理サーバ１００は、この「仲卸→小売仕分情報」とＳ１０１の「仲卸前日ストック」とを照合して、「仲卸→小売仕分情報残」、「仲卸→小売引当情報」、「仲卸ストック残」を作成する（Ｓ１０５）。ここで、「仲卸→小売仕分情報残」は、ストックが不足しているために引き当てることができなかった仕分情報である（不足分）。「仲卸→小売引当情報」は、引き当てられた商品である。「仲卸ストック残」は、引き当てられなかったストックである（注文よりも「仲卸前日ストック」の方が多かった場合、注文がなかった場合）。ここで、「仲卸→小売引当情報」は、仲卸業者から小売業者に商品の所有権が移ったこと、換言すると、引当に係る商品の所有者の名義が管理サーバ１００により小売業者に書き換えられたことを示す情報である（「名義の書き換え」）。
【００７５】
仲卸業者は、仲卸端末１２０を操作してＳ１０５で作成された情報を参照し、注文に対する不足分を把握する。そして、不足分を調達するため、卸売業者に対して予約相対取引の申込みを行なう（Ｓ１０６）。
【００７６】
卸売業者は、予約相対取引の申込みの電話を受け付ける（Ｓ１０７）。予約相対取引を受け付けると、「予約相対予定表」を作成し管理サーバ１００に登録する（Ｓ１０８）。管理サーバ１００は、「予約相対予定表」に基づいて「卸→仲卸仕分情報」を作成する（Ｓ１０９）。また、管理サーバ１００は、卸売市場の管理者に提出する「予約相対申請書」を自動作成する。
【００７７】
さらに、管理サーバ１００は、この「卸→仲卸仕分情報」とＳ１０１’の「卸ストック」とを照合して、「卸→仲卸仕分情報残」、「卸→仲卸引当情報」、「卸ストック残」を作成する（Ｓ１１０）。ここで、「卸→仲卸仕分情報残」は、卸売業者のストックが不足しているために引き当てることができなかった仕分情報である（不足分）。「卸→仲卸引当情報」は、引き当てられた商品である。「卸ストック残」は、引き当てられなかったストックである（注文よりも「卸ストック」の方が多かった場合、注文がなかった場合）。ここで、「卸→仲卸引当情報」は、卸売業者から仲卸業者に商品の所有権が移ったこと、換言すると、引当に係る商品の所有者の名義が管理サーバ１００により仲卸業者に書き換えられたことを示す情報である（「名義の書き換え」）。なお、このＳ１０９では、管理サーバ１００は、卸売市場の管理者に提出する「予約相対報告書」と仲卸業者に渡す「売渡票」を自動作成する。
【００７８】
これらの行為及び情報処理システムの動作により、小売業者からの注文（前日に行なわれる注文）に対して、仲卸業者は、自己の在庫を踏まえつつ適切に予約相対の申込みを卸売業者に行なうことができる。一方、卸売業者は、予約相対の申込みを受け付けて「予約相対予定表」を管理サーバ１００に登録すると、在庫状況（「卸ストック残」）や在庫の不足数（「卸→仲卸仕分情報残」）を把握できるようになる。つまり、卸売業者は、管理サーバ１００が作成した情報を参照して産地などに発注し、過不足のない商品の集荷を行なうことができる。また、各引当は、自動倉庫１０ａ（図２参照）の中で商品を動かすことなく行なうことができるので、引当（引取）に対する作業要員を他の作業に回すことができるようになる。また、卸売市場で行なわれる各種作業の動線の錯綜を、解消又は低減することができる。
【００７９】
図１３を参照して、転送における情報システムの動作及び取引の内容を説明する。
ここでの取引は、卸売業者が他市場（他市場の卸売業者）から注文を受けて、転送を行なうものである。なお、ここで参照する図１３は、左端の欄は卸売業者が行なう動作、その右隣の欄は他市場が行なう動作、右端の欄は情報システム（管理サーバ１００）の動作を示している。
【００８０】
図１３に示すように、まず、卸売業者と他市場（他市場の卸売業者）が連絡を取って、転送取引を行なう（Ｓ１１１）。卸売業者は、転送取引の結果に基づいて「転送予定表」を作成し、これを卸売端末１１０から管理サーバ１００に登録する（Ｓ１１２）。管理サーバ１００は、「転送予定表」に基づいて「転送品仕分情報」を作成し記憶する（Ｓ１１３）。併せて、管理サーバ１００は、卸売市場の管理者に提出する「転送申請書」を自動作成する。
【００８１】
卸売業者は、翌日商品が入荷されると（荷受すると）、管理サーバ１００に登録してある「転送品仕分情報」を参照して、転送品の引当を確実に行なうことができる。
【００８２】
図１４（ａ）を参照して、荷受における情報システムの動作及び荷受に関連した作業の内容を説明する。
ここでの作業は、卸売業者が入荷した商品の荷受を行ない、自動倉庫に入庫するものである。
【００８３】
産地から例えば１０ｔｏｎ車両で商品が入荷すると、卸売業者は「送り状」を受け取る（Ｓ１２１）。併せて、卸売業者は、車両に積載された商品の荷降しを行ない、商品を第１入出庫部１１ｅにおける入庫ラインに連続的に流す（Ｓ１２２）。商品を入庫ラインに流すと、画像読取装置と物流ラベル発行装置を備えた例えば荷受端末１３０ａにより、商品情報や数量の読取りなどが行なわれ、物流ラベルが発行され、商品ごとにケースに貼付される（Ｓ１２３、図８（ａ）参照）。また、荷受端末１３０ａは、表１に例示する「荷受情報」を作成し、これを管理サーバ１００に送信する。管理サーバ１００は、「荷受情報」を登録する（Ｓ１２４）。この動作は、「自動倉庫に入庫する荷物のデータを個別にコンピュータに登録」といえるものである。また、自動倉庫１０ａへの入庫の際には、商品のケースごとに入庫時間が記録される（入庫情報）。また、管理サーバ１００は、「荷受情報」に基づいて卸売市場の管理者に提出する「卸売予定数量報告書」を自動作成する。荷受の後、卸売業者は、卸端末１１０を操作して管理サーバ１００に登録してある「荷受情報」を参照し、「送り状」と照合して荷受が正しく行われたか否かの確認を行なう（Ｓ１２５）。なお、物流ラベルが貼付された商品は、直ちに自動倉庫１０ａに入庫される。
【００８４】
これにより、卸売業者は、荷受を円滑に行なうことができる。また、荷降し、物流ラベルの発行・貼付、自動倉庫１０ａへの入庫は、連続して行なわれるので、商品が野ざらしにされるようなことはない。また、自動倉庫１０ａへの入庫時間により、自動倉庫１０ａからの先入れ先出しを確実に行なうことができるようになる。
【００８５】
１４（ｂ）を参照して、転送における情報システムの動作及び転送に関連した作業の内容を説明する。
ここでの作業は、入庫してある商品を出庫して車両に積載し、他市場に向けて転送（出荷）するものである。なお、この作業は、荷受の当日に行なわれるものである。
【００８６】
まず、図１４（ｂ）に示すように、管理サーバ１００は、「荷受情報」と「転送品仕分情報」に基づいて、「転送品引当情報」と「卸未引当品」を作成し記憶する（Ｓ１３１）。ちなみに、ここでの「転送品仕分情報」は図１３のＳ１１３と同じものである。
【００８７】
卸売業者は、例えば転送場１１ｂに設置された入出庫端末１４０ａを操作して、管理サーバ１００が記憶している「転送品引当情報」を参照する（「Ａ市場転送品」、Ｓ１３２）。そして、卸売業者は、転送すべき商品を、入出庫端末１４０ａを操作して指示（転送出荷指示）し、自動倉庫１０ａから出庫する（Ｓ１３３）。管理サーバ１００は、商品の出庫の際に「転送品引当情報」を作成する（出荷済更新、Ｓ１３４）。出庫された転送用の商品は、図８（ｃ）で説明したように、パレタイザＰｔによるパレット積み、車両への積載が順に行なわれ、転送（出荷）される。
【００８８】
これにより、卸売業者は、転送を確実に行なうことができる。また、転送の際の作業は、自動倉庫１０ａから出庫される商品をパレタイザＰｔ（図８（ｃ）参照）が自動的にパレット積みするので、転送の作業に要する労力を大幅に低減することができる。
【００８９】
図１５を参照して、予約相対品の引当における情報システムの動作及び引当に関連した作業の内容を説明する。
ここでの作業は、仲卸業者が管理サーバ１００に記憶されている情報を参照して予約相対品の引当を確認するものである。また、小売業者が管理サーバ１００に記憶されている情報を参照して、商品を出庫するものである。なお、この作業は、荷受の当日に行なわれるものである。
【００９０】
図１５に示すように、管理サーバ１００には「卸未引当品」が記憶されている（Ｓ１４１）。ここでの「卸未引当品」は、図１４（ｂ）のＳ１３１で作成（更新）された「卸未引当品」と同じものである。管理サーバ１００は、この「卸未引当品」と「卸→仲卸仕分情報残」とから、「卸→仲卸仕分情報残」、「卸→仲卸引当情報」及び「卸未引当品」を作成し記憶する（Ｓ１４２）。また、管理サーバ１００は、「売渡票」及び「予約相対報告書」を作成し記憶する。「予約相対報告書」は、卸売市場の管理者に提出する報告書である。なお、Ｓ１４２で作成される「卸未引当品」は、Ｓ１４１での「卸未引当品」よりもＳ１４２で作成される「卸→仲卸引当情報」の分だけ少なくなっている。この「卸未引当品」の減少（さらにストックの減少）は、「引当があった荷物のデータを消去」といえるものである。この点は、他の取引（商い）においても同じである。
【００９１】
仲卸業者は、例えば仲卸端末１２０を操作して、管理サーバ１００が記憶している「卸→仲卸引当情報」を参照し、予約相対による引当が正しく行われたか否かを確認する（Ｓ１４３）。ちなみに、図１５に記載された「買上明細」は仲卸業者から見たものであり、卸売業者から見ると「売渡票」に該当する。
【００９２】
管理サーバ１００は、Ｓ１４２での「卸→仲卸引当情報」などの作成に続いて、「仲卸→小売仕分情報残（Ｓ１０５参照）」に基づき、「仲卸→小売引当情報」及び「仲卸→小売仕分情報残」を作成・更新し記憶する（Ｓ１４４）。これは、「出荷先への引当も合わせて実行」といえるものである。このようにすることで、小売業者が商品の出庫を確実に行なうことができる（Ｓ１４６，Ｓ１４７）。なお、小売業者に引き当てられた後であっても、一旦仲卸業者に引き当てられたという属性を残し、引当の経路（履歴）がわかるようにしてある。
【００９３】
小売業者（小売業者の依頼を受けた運送業者）は、例えば３階１３の第４入出庫部１３ｅの近傍に設置された入出庫端末１４０ｄを操作して、管理サーバ１００が記憶している「仲卸→小売引当情報」を参照する（「Ａ小売販売品」、Ｓ１４５）。そして、出庫すべき商品を、入出庫端末１４０ｄを操作して指示（出庫要求→出庫指令）し、自動倉庫１０ａから出庫する（Ｓ１４６）。管理サーバ１００は、商品が出庫されると「仲卸→小売引当情報」を更新する（Ｓ１４７）。出庫された出荷用の商品は、荷捌場１３ａで荷捌され、出荷場１３ｂで４ｔｏｎ車両に荷積みされ、卸売市場から小売業者の店舗などに向けて出荷される。
【００９４】
これにより、仲卸業者は、予約相対品の引当（引取）を確実に行なうことができる。しかも、仲卸業者の引取（仕分）の作業はないので（図７（ｂ）（ｃ）参照）、仲卸業者の作業負荷が大幅に低減される。また、小売業者は自分の都合のよい時間に出庫できるので大変便利である。
【００９５】
図１６を参照して、事前販売品の引当における情報システムの動作及び引当に関連した作業内容を説明する。
【００９６】
管理サーバ１００には、「卸未引当品」が記憶されている（Ｓ１５１）。ここでの「卸未引当品」は、図１５のＳ１４２で作成される「卸未引当品」と同じものである。
【００９７】
仲卸業者は、例えば仲卸端末１２０を操作して、管理サーバ１００が記憶している「卸未引当品」を参照する（Ｓ１５２）。併せて、管理サーバ１００が記憶している「仲卸→小売仕分情報」を参照する（Ｓ１５３）。仲卸業者は、これら情報を参照して事前販売の申込みを行なう。具体的には、仲卸業者は、「事前販売申込書」を作成して、管理サーバ１００に登録する（Ｓ１５４）。管理サーバ１００は、「事前販売申込情報」を記憶する（Ｓ１５５）。
【００９８】
卸売業者は、例えば卸売端末１１０を操作して、管理サーバ１００が記憶している「事前販売申込情報」を参照する（Ｓ１５６）。卸売業者は、仲卸業者の事前販売の申込みに対して事前販売の許可を行なう（Ｓ１５７、事前販売許可の作成）。すると、管理サーバ１００は、Ｓ１５５の「事前販売申込み情報」とＳ１５１の「卸未引当品情報」を照合し、「卸→仲卸引当情報」及び「卸未引当品」を作成し記憶する（Ｓ１５９）。また、管理サーバ１００は、卸売業者が卸売市場の管理者に提出（申請）する「事前販売申請書」を自動作成する。
【００９９】
なお、「卸→仲卸引当情報」は、卸売業者から仲卸業者に商品の所有権が移ったこと、換言すると、引当に係る商品の所有者の名義が管理サーバ１００により仲卸業者に書き換えられたことを示す情報である（「名義の書き換え」）。また、管理サーバ１００は、「売渡票」及び「事前販売報告書」を自動作成する。「事前販売報告書」は、卸売業者が卸売市場の管理者に提出（報告）する書類である。
【０１００】
仲卸業者は、例えば仲卸端末１２０を操作して、管理サーバ１００が記憶している「卸→仲卸引当情報」を参照し、事前販売引当が正しく行われたか否かを確認する（Ｓ１６０）。ちなみに、図１６に記載された「買上明細」は仲卸業者から見たものであり、卸売業者から見ると「売渡票」に該当する。これは、図１５の予約相対の場合と同じである。
【０１０１】
これにより、仲卸業者は、事前販売品の引当（引取）を確実に行なうことができる。しかも、仲卸業者の引取（仕分）の作業はないので（図７（ｂ）（ｃ）参照）、仲卸業者の作業負荷が大幅に低減される。
【０１０２】
図１７を参照して、相対品、競売品の引当における情報システムの動作及び引当に関連した作業の内容を説明する。なお、この引当は、荷受の当日に行なわれるものである。
【０１０３】
図１７に示すように、管理サーバ１００には「卸未引当品」が記憶されている（Ｓ１７１）。ちなみに、ここでの「卸未引当品」は、図１６のＳ１５９における「卸未引当品」と同じものである（事前販売と相対がオーバラップして行なわれると、Ｓ１５９とＳ１７１の「未引当品」は異なることもある）。
【０１０４】
卸売業者は、例えば１階１１の第２入出庫部１１ｅ（図２参照）の近傍に設置された入出庫端末１４０ｂを操作して、管理サーバ１００が記憶している「卸未引当品」を参照する（Ｓ１７２）。そして、相対や競売の見本品の出庫を指示する（出庫要求→出庫指令、Ｓ１７３）。卸売業者が出庫した見本品は、１階１１の競売場１１ｃに運ばれ、この見本品を見ながら卸売業者と仲卸業者の間で相対や競売による取引が行なわれる（Ｓ１７４）。相対や競売による取引が確定すると、物流ラベルをハンディターミナルから読込み、取引相手（売渡先）である仲卸業者の名前、取引価格、数量などを入力して「売渡票」を作成し、管理サーバ１００に登録する（Ｓ１７５）。「売渡票」は、卸売業者が仲卸業者に商品を売り渡したことを明らかにするものである。管理サーバ１００は、「卸→仲卸仕分情報」を作成し記憶する（Ｓ１７６）。そして、管理サーバ１００は、「卸→仲卸引当情報」及び「卸ストック」を作成する（Ｓ１７７）。「卸ストック」に係る商品は、卸売業者の在庫になり、翌日の取引に充てられる。あるいは、急な注文があると出荷される。なお、管理サーバ１００は、卸売業者が卸売市場の管理者に提出する「卸売報告書」を自動作成する。
【０１０５】
仲卸業者は、例えば仲卸端末１２０を操作して、管理サーバ１００が記憶している「卸→仲卸引当情報」を参照して、引当が正しく行なわれたことを確認する（Ｓ１７８）。ちなみに、図１７に記載された「買上明細」は仲卸業者から見たものである。なお、「卸→仲卸引当情報」は、卸売業者から仲卸業者に商品の所有権が移ったこと、換言すると、引当に係る商品の所有者の名義が管理サーバ１００により仲卸業者に書き換えられたことを示す情報である（「名義の書き換え」）。
【０１０６】
ところで、相対や競売による取引では、産地、品種、等階級などの組合せで区分される複数のケースを対象とする。つまり、複数のケースのうち１ケースを見本品として出庫する。このとき、管理サーバ１００は、見本品以外のケースが引き当てられないようにロックをかける。Ｓ１７５の「売渡票」の登録のステップでは、それらの複数のケースの一部又は全部に対して名義変更を行なう（Ｓ１７７）。なお、一部とは、取引が成立したものだけ、という意味である。通常は全部が競り落とされることが多い。
【０１０７】
このように、見本品を容易に自動倉庫１０ａから出庫できるので、卸売業者の相対や競売による取引の作業負荷を低減することができる。しかも、相対や競売による取引が行なわれる競売場１１ｃの直近の第２入出庫部１１ｅから見本品を出庫でき、かつ、競売場１１ｃは加工場１２ａや荷捌場１３ａなどとフロアが異なるので動線が交錯することがない。また、仲卸業者は、相対や競売による取引の引当（引取）の作業を行なわなくとも済むという大きなメリットが得られる。
【０１０８】
図１８を参照して、小売への販売における情報システムの動作及び販売に関連した作業の内容を説明する。なお、この小売向け出庫は、荷受の当日に行なわれるものである。
【０１０９】
図１８に示すように、管理サーバ１００には「卸→仲卸引当情報」が記憶されている（Ｓ１８１）。ちなみに、ここでの「卸→仲卸引当情報」は、図１７のＳ１７７（Ｓ１５９）における「卸→仲卸引当情報」と同じものである。
【０１１０】
仲卸業者は、例えば１階１１の第２入出庫部１１ｆの近傍に設置された入出庫端末１４０ｂを操作して、「卸→仲卸引当情報」を参照する（Ｓ１８２）。そして、店頭渡しのための商品の出庫を指示する（Ｓ１８３）。出庫された商品は、第２入出庫部１１ｆと同じフロアにある仲卸業者の店舗（仲卸店舗１１ｄ）にフォークリフトやターレットで横持ちされ、店頭販売用（店頭渡し用）の商品となる。
【０１１１】
また、管理サーバ１００は、「仲卸→小売仕分情報残」から「仲卸→小売引当情報」及び「仲卸ストック残」を作成し記憶する（Ｓ１８４）。
小売業者は、例えば３階１３の第４入出庫部１３ｅの近傍に設置された入出庫端末１４０ｄを操作して、管理サーバ１００に記憶されている「仲卸→小売引当情報」を参照し（Ｓ１８５）、出庫の指示を行なう（出庫要求→出庫指令、Ｓ１８６）。これにより、Ａ小売の販売品（Ａ小売販売品）が出庫される（出荷のための出庫）。また、管理サーバ１００は、「仲卸→小売引当情報」及び「仲卸ストック残」を更新する（Ｓ１８７）。なお、「仲卸ストック残」に係る商品は、仲卸の翌日に向けての在庫になる。一方、出庫された出荷用の商品は、例えば荷捌場１３ａで荷捌され、出荷場１３ｂで４ｔｏｎ車両に荷積みされ、卸売市場から小売業者の店舗などに向けて出荷される。
【０１１２】
即ち、本実施形態の情報システムによれば、荷受、転送、予約相対、相対、競売、出荷、入出庫、引当…を管理サーバ１００の管理のもとに確実に行なうことができる。しかも、引当などは、荷物を動かすことなく管理サーバ１００内でのデータの書き換えにより行なわれるので、卸売業者、仲卸業者、小売業者が行なう作業の負荷は大幅に軽減される。また、作業も、図１及び図２に示すように建物１０は、動線を考慮して階層分けしたレイアウトになっているので、作業の動線が交錯することがない。また、建物１０における上下方向の商品の移動は、自動倉庫１０ａの内部で行なわれるので、この点からも動線の交錯がない。また、荷物の入出庫も、入出庫端末１４０を操作して、管理サーバ１００に入出庫の指示を出すだけで行なわれるので、入出庫の作業の負荷も大幅に軽減される。つまり、卸売市場の建物と自動倉庫を連携させ、さらに情報システムを組み合わせることで、荷扱の自動化を達成できた。
【０１１３】
〔帳票類〕
なお、管理サーバ１００には、図１９（ａ）に示すような「卸売業者の取扱い品目一覧表」が閲覧可能に記憶されており、予約相対における図１２のステップＳ１０６で仲卸業者が参照できるようになっている。また、予約相対における小売からの注文は、図１９（ｂ）（ｃ）に示すような「仲卸業者別の小売業者からの注文受付一覧表」として、管理サーバ１００で管理されるようになっている。なお、この図１９（ｂ）（ｃ）は、仲卸業者の仕分表に該当するものである（小売業者ごとにさらに店舗、センタの区分けがある場合もある）。
【０１１４】
次に、図１９（ｄ）は、仲卸Ａと卸Ａとの予約相対の取引をまとめた表である。図１９（ｅ）は、仲卸Ａと卸Ｂとの予約相対の取引をまとめた表である。仲卸業者（仲卸Ａ）は、この図１９（ｄ）（ｅ）の予約相対の取引により、図１９（ｂ）に示す小売業者からの注文に対して商品を仕入れることができる。
【０１１５】
一方、図１９（ｆ）は、仲卸Ｂと卸Ａとの予約相対の取引をまとめた表である。図１９（ｇ）は、仲卸Ｂと卸Ｂとの予約相対の取引をまとめた表である。仲卸業者（仲卸Ｂ）は、この図１９（ｆ）（ｇ）の予約相対の取引により、図１９（ｃ）に示す小売業者からの注文に対して商品を仕入れることができる。
【０１１６】
図１９（ｈ）は、卸売業者（卸Ａ）からみた仲卸業者（仲卸Ａ、仲卸Ｂ）との予約相対の関係を示す表である。この表は、卸Ａの分荷表になる。図１９（ｉ）は、卸売業者（卸Ｂ）からみた仲卸業者（仲卸Ａ、仲卸Ｂ）との予約相対の関係を示す表である。
【０１１７】
図２０（ａ）は、図１９の予約相対の取引を全てまとめて、小売業者Ｖｓ商品の品目の関係表（全品目管理表）にしたものである。この表は、どの卸売業者にも仲卸業者にも開示されない情報である。
【０１１８】
図２０（ｂ）は、卸売業者（卸Ａ）の品目別荷受状況を一覧にした表である。図１９（ａ）の取扱い品目一覧表から判るように、品目Ａを扱っている卸売業者は卸Ａだけなので、卸Ａが品目Ａの荷受を行なうと、卸売市場全体として品目Ａの荷受が確定する。一方、図１９（ａ）の取扱い品目一覧表から判るように、品目Ｆを扱っている卸売業者は卸Ａと卸Ｂの双方であるので、卸Ａが品目Ａの荷受を行なっても、卸売市場全体として品目Ｆの荷受は確定しない。
【０１１９】
図２０（ｃ）は各小売理業者（小売店）の出荷予定一覧を示す表である。この表において、品目Ａ、品目Ｃ、品目Ｆの荷受（卸Ａの分の荷受）が確定すれば、小売Ｂ（小売業者）の出荷が可能になる。小売業者（小売Ｂ）は、さらに自己の店舗（大阪店、京都店…）、センタの区分で商品を出庫し、カゴ車積み又はパレット積みし、出荷用の車両に積載する。店舗やセンタの区分は、仲卸業者の仕分表に基づく。
【０１２０】
〔競売の変形例〕
図２１を参照して、競売の変形例を説明する。
競売は、図２１（ａ）に示すような競売（機械競売）にしてもよい。この競売は、例えば図１及び図２に示す建物１０の内部（競売場１１ｃなど）で、スクリーンに商品の映像表示、商品情報表示を見ながら行なうものである。また、図２１（ｂ）に示すようないわゆるネットオークション（リモート販売）の形態にしてもよい。この図２１（ｂ）では、ＷＷＷサーバが、バイヤに競売対象の商品の画像を含む情報を閲覧させ、競売の申込みを受け付け、落札判定を行ない、結果を登録する。なお、バイヤは、ＷＷＷ閲覧用のブラウザがインストールされたインターネット接続可能なパソコンを操作する。
【０１２１】
〔取引の精算〕
図２２を参照して、取引の精算を説明する。
管理サーバ１００は、物量の情報に加えて、精算情報も管理している（精算情報管理機能、図５（ａ）参照）。具体的には、図２２に示すように、卸売業者（卸Ａ、卸Ｂ）から精算情報としての売渡情報（売渡票）が管理サーバ１００に集計され、管理サーバ１００から仲卸業者（仲卸Ａ〜仲卸Ｄ）に対して集計された情報が配布されるようになっている。売渡情報は、売渡先（Ａ仲卸、Ｂ仲卸、…）、品名（みかん、イチゴ、…）、等階級（Ｓ、Ｍ、秀、…）、数量（１０ケース、２４ケース、…）、販売価格（ＸＸＸＸ円、…）などの情報で構成されている。なお、事前販売については、商品の引当を行なった時点では販売価格は未定になっている。販売価格は、その品種（品目）の競売が終了した後に、競売での最高値が設定される（競売での最高値→事前販売での販売価格）。
【０１２２】
こうして各卸売業者の精算情報（売渡情報）が管理サーバ１００に集計されて揃って、これを各仲卸業者から見ると、買上明細書（Ｓ１４３，Ｓ１６０，Ｓ１７８参照）が揃っている状況になる。買上げ明細は、売渡価格（販売価格）が確定すると請求書になるため、代払い／精算会社の情報としても使える。よって、精算を確実に行なうことが可能になる。
【０１２３】
〔建物使用の課金〕
図２３を参照して、建物１０（図１、図２参照）の使用に対する課金を説明する。
例えば、自動倉庫１０ａを使用する卸売業者や仲卸業者に対して、「入出庫回数」や「保管時間」という量目に対して、従量制で課金することができる。さらに、各作業場の使用料を使用面積に従って、固定制で課金することができる。
【０１２４】
即ち、図２３（ａ）の入荷から出荷までの取引（商い）別の課金先変遷タイムチャートにおける、（１）の「転送」では、荷受情報作成（表１、図５（ｂ）参照）の時点から転送出庫の時点までの商品の全保管時間及び入出庫回数（入庫１回・出庫１回）を、転送の引当の有無にかかわらず卸売業者に対して課金する。転送先は他市場（他市場の卸売業者）だからこのようにする。（２）の「予約相対」では、荷受情報作成の時点から予約相対引当（図１５のＳ１４２参照）の時点までの保管時間及び入出庫回数（入庫１回）を卸売業者に課金し、予約相対引当の時点から出庫の時点までの保管時間及び入出庫回数（出庫１回）を仲卸業者に課金する。（３）の「事前販売」では、荷受情報作成の時点から事前販売引当（図１６のＳ１５９参照）の時点までの保管時間及び入出庫回数（入庫１回）を卸売業者に課金し、事前販売引当の時点から出庫の時点までの保管時間及び入出庫回数（出庫１回）を仲卸業者に課金する。（４）の「相対、競売」では、荷受情報作成の時点から相対／競売登録（図１７のＳ１７５やＳ１７７）の時点までの保管時間及び入出庫回数（入庫１回）を卸売業者に課金し、相対／競売登録の時点から出庫の時点までの保管時間及び入出庫回数（出庫１回）を仲卸業者に課金する。つまり、所有者が書き換わった（移り変わった）時点で課金先を変更する。これは、「前記荷物の引当があったときは、当該引当前の所有者に対してはその時点での保管時間に対する課金額を算出し、当該引当後の新たな所有者に対しては引当から出庫までの保管時間に対する課金額を算出する」といえるものである。なお、（２）の「予約相対」や（３）の「事前販売」の場合は、荷受の時点や入庫の時点で引当が行なわれる場合もある（仲卸業者への引当、さらには小売業者への引当）。また、見本品を取り出して取引を行なうような場合は、見本品の出入庫（出庫と必要に応じて行なわれる入庫）に対して課金を行なうようにしてもよい。なお、見本品の出庫は例えば卸売業者に課金し、取引成立後の入庫は例えば仲卸業者に課金する。
【０１２５】
ちなみに、図２３（ａ）における荷受情報作成の時点は、荷受に引き続いて行なわれる商品の自動倉庫１０ａへの入庫時間（ラベルリーダが物流ラベルの情報を読み取った時間→入庫情報の作成時）などでもよい。また、転送出庫の時点は、例えば転送のための出庫要求（図５（ｂ）参照）があり、これに応じて商品が自動倉庫１０ａから出庫された時間（出庫情報における出庫時間）とすることができる。また、出庫の時点は、例えば出荷のために出庫要求（図５（ｂ）参照）があり、これに応じて商品が自動倉庫１０ａから出庫された時間（出庫情報における出庫時間）とすることができる。保管時間に対する課金は、何れの場合も、時間的基準が明確であればよい。なお、加工や仕分の際の入出庫に対しても、入出庫回数としてカウントして課金するようにしてもよい。この場合は、仲卸業者が行なう作業であるので仲卸業者に課金するのが妥当である。
【０１２６】
ところで、このような課金（従量制）を行なうため、管理サーバ１００は、「卸→仲卸引当情報」の作成・更新の時間、ラベルリーダが送信する入庫情報及び出庫情報（タイムスタンプ付き）、そして荷受端末１３０（図４参照）が送信する荷受情報（タイムスタンプ付き）を、商品のケースごと（荷物ごと）に、商品の所有者（卸売業者・仲卸業者）と対応付けて記憶する。また、商品のケースごとの入出庫回数を、商品の所有者（卸売業者及び仲卸業者）と対応付けて記憶する。また、管理サーバ１００は、入庫・出庫１回あたりの金額（ＸＸ円／ケース）、商品の保管時間ごとの保管料（例えば０．５時間ごとにＸＸ円／ケース〔重量や容積などを加味してもよい〕）を設定してある課金テーブルを記憶する。ちなみに、このような課金は、新たなハードウェア的な構成を付加することなく行なえる。なお、課金の明細は、例えば「仲卸Ａ殿、保管料ＸＸＸ円（商品５０ケース、２４．５時間保管、単価ＸＸ円／ケース／０．５時間）、出庫料１回ＸＸ円／ケース」というようなものになる。
【０１２７】
ここで、商品の入庫の時点で既に小売業者が引き当てられている場合がある。即ち、商品の入庫の時点で所有者が小売業者になっている場合がある。このような場合は、例えば小売業者を被課金者として課金するようにしてもよい。あるいは、仲卸業者が小売業者から商品を預かって入庫しているとして、仲卸業者を被課金者として課金するようにしてもよい。つまり、商品の所有者と課金先（被課金者）とが一致しない場合もある。ちなみに、図２３（ａ）は、商品の所有者と被課金者とが一致している例を示しているものである。
【０１２８】
なお、図２３（ｂ）に示すように、各作業場に対して固定制で課金してもよい。このような課金（固定制）を行なうため、管理サーバ１００は、各利用者（卸売業者・仲卸業者）の各作業場の使用面積を記憶すると共に、月あたり（所定期間あたり）の使用量を記憶した課金テーブルを記憶している。ちなみに、屋上駐車場は、時間貸しの部分も設けてある。
【０１２９】
なお、本発明は、前記実施形態に限定されることなく、幅広く変形実施することができる。
例えば（図１及び図２参照）、建物１０が自動倉庫１０ａを建屋内に備えることとしたが、図２４（ａ）に示すように、建物とは別体に自動倉庫が建てられていてもよい。この場合、つまり「建物が自動倉庫に接して建てられ」に該当する場合は、図２４（ａ）に示すように、建物のそれぞれの階から自動倉庫に商品を入出庫（出庫）できるようにしてあるのが動線の交錯を排除する点から妥当である（自動倉庫を上下方向の搬送手段とする）。
【０１３０】
また、競売などの取引が他の場所（例えばオフィス街）で行なわれ、建物１０では、例えば物流（入荷及び出荷、必要に応じて加工）が行なわれるようにしてあってもよい。この場合は、例えば管理サーバが建物に設置され、卸端末や仲卸端末がオフィス街に設置され、管理サーバと卸端末・仲卸端末がＷＡＮやイントラネットで接続される形態になる（さらに管理サーバも建物とは別の場所に設置し専用線で入出庫端末などと接続するようにしてもよい）。
【０１３１】
また、「少なくとも前記加工場を前記入庫場所及び／又は前記出荷場とは異なる階に配置」について、前記した実施形態（図１及び図２参照）では、加工場１２ａを２階１２に、荷受場１１ａ（入出庫部１１ｅ、入庫場所）を１階１１に、出荷場１３ｂを３階１３に配置したが、これに限定されることなく、例えば次のように配置してもよい。
即ち、建物を例えば２階建てとして、建物の１階に荷受場及び出荷場を配置し、建物の２階に加工場を配置するようにしてもよい。この場合の１階のレイアウトは、自動倉庫を挟んで荷受場と出荷場を配置するのが、動線の交錯を排除するという面から妥当である（荷受場→自動倉庫→出荷場）。また、この場合は、前記した実施形態のように、自動倉庫を搬送手段として使用して、１階から２階に、２階から１階に商品を移動するようにする。また、建物の２階と１階を入れ換えるようにしてもよい。また、建物を３階建てとして、１階に加工場、２階に荷受場、３階に出荷場を設けるようにして、異なる階層への商品の移動を、自動倉庫を介して行なうようにしてもよい。このようにしても動線の交錯を排除することができ、本発明の目的が達成されるからである。
【０１３２】
さらに、自動倉庫に接して建物が建てられる態様における「少なくとも前記加工場を前記出荷場とは異なる階に配置」として、図２４（ｂ）のようなレイアウト、つまり、建物の１階に出荷場及び荷捌場を配置し、建物の２階に加工場を配置してもよい（動線の交錯が排除できる）。このようなレイアウトにしても、本発明の技術的範囲に入るのはいうまでもない。なお、集荷された荷物を自動倉庫に入庫する入出場所としての荷受場は、建物の荷捌場と干渉しない位置（動線が交錯しない位置）、一例として図２４（ｂ）に示すような位置に配置するのが好ましい。
【０１３３】
また、各入出庫部１１ｅ，…（図２、図３参照）は、ループ式搬送台車ＬＣではなく、コンベアと連携するようにしてもよい。また、情報システム（管理サーバ１００（図４など参照））を、卸売支援を行なうサーバと、自動倉庫１０ａの管理を行なうサーバとに分けてもよい。また、引当や課金をケース単位で行なうこととしたが、パレットに積まれた複数の商品を一纏まりの一つの荷物として引当や課金、入出庫を行なうようにしてもよい。この場合は、例えばパレット単位で物流ラベルが貼付される。また、課金を時間従量制で行なうこととしたが、これに限定されることがないのはいうまでもない。
【０１３４】
また、予め商品の重量（ケースごとの重量）を管理サーバ１００に登録しておき、出荷のための出庫を行なう際にこの重量を参照して、重量が重い商品（ケース）から先に出庫されるようにソートしてもよい（倉庫１０ａがソートして出庫）。なお、カゴ車やパレットを一つの出庫単位として、重い商品→軽い商品になるようにサイクルを組んでソートしつつ出庫するようにしてもよい。つまり、どのカゴ車（パレット）も、その下部には重い商品が積まれ、その上部には軽い商品が積まれるようにサイクルを組んでソートして出庫するようにしてもよい。このようにすると、カゴ車などに積み易く、また、下に積まれた商品の重量に対する負担が軽減する。ちなみに、このような積み込みを可能とするためには、カゴ車やパレットへの積み込み可能な商品の数を設定しておくのが妥当である。
【０１３５】
なお、「取引」及び「商い」は、前記した実施形態でいえば「青果物の売買という経済行為を行なうこと」である。また、「引当」は、既に説明したように、商品を、誰に割り当てるかや、誰のものにするかなどを決めること、あるいは仲卸業者や小売業者が商品を確保することである。ちなみに、図２５に示す売買参加者Ｂが、卸売業者から前記した仕入方法により商品を仕入れる場合も、本発明の技術的範囲に属するのはいうまでもない。また、卸売業者が売買参加者Ｂに、前記した卸売方法により商品を卸売りする場合も、本発明の技術的範囲に属するのはいうまでもない。さらに、卸売業者が、前記した卸売支援システムにより売買参加者Ｂに商品を卸売りする場合も、本発明の技術的範囲に属するのはいうまでもない。また、「荷物」の一例として青果物で本発明を説明したが、鮮魚、花卉、食肉などや、その他の荷物（商品）に本発明を適用してもよい。
【０１３６】
また、前記の実施形態は、卸売業者と仲卸業者が並存する卸売市場を例にとり説明したものであるが、本発明は、この実施形態に限定されず、卸売業者の一部が仲卸業者の業務を兼業している形態の卸売市場、あるいは仲卸業者が存在せず卸売業者が集荷及び分荷を行なう形態の卸売市場における卸売方法、仕入方法、並びに卸売支援システムをも含むものである。その場合、前記実施形態における仲卸業者を卸売業者と読み替えれば、あるいは前記実施形態における仲卸業者に関する記載を卸売業者に関するものとして適宜解釈すれば、卸売業者の一部が仲卸業者の業務を兼業している形態の卸売市場、あるいは仲卸業者が存在せず卸売業者が集荷及び分荷を行なう形態の卸売市場における卸売方法、仕入方法、並びに卸売支援システムに関する実施形態を理解することができる。
【図面の簡単な説明】
【０１３７】
【図１】本発明に係る実施形態における建物の模式的な斜視図である。
【図２】図１の建物の各階平面図であり、（ａ）は３階の模式的平面図を、（ｂ）は２階の模式的平面図を、（ｃ）は１階の模式的平面図を、それぞれ示す。
【図３】図２の自動倉庫の入出庫部の模式的な構成を示す図である。
【図４】本実施形態に係る情報システムの概略構成を示す図である。
【図５】（ａ）は図４の管理サーバの構成を示すブロック図であり、（ｂ）は管理サーバの入出庫管理機能を機能展開したブロック図である。
【図６】商品の所有者の変遷を示す図であり、（ａ）は卸売業者から仲卸業者への所有者の変遷を示す図であり、（ｂ）は仲卸業者から小売業者への所有者の変遷を示す図であり、（ｃ）は小売業者向けの出荷品を仕入先に着目して示す図である。
【図７】（ａ）は小売業者の注文が仲卸業者を介して卸売業者に受け付けられるまでの一例を模式的に示す流れ図、（ｂ）は従来の荷捌の流れの一例を示す図、（ｃ）は新しい荷捌の流れの一例を示す図である。
【図８】（ａ）は商品の荷受（及び入庫）を模式的に示す図、（ｂ）は商品の引当を模式的に示す図、（ｃ）は商品の転送を模式的に示す図である。
【図９】（ａ）は事前販売を模式的に示す図、（ｂ）は相対・競売による取引を模式的に示す図である。
【図１０】（ａ）は店頭渡しを模式的に示す図、（ｂ）は注文品の出荷を模式的に示す図である。
【図１１】（ａ）は小分け作業を模式的に示す図、（ｂ）はストック品を模式的に示す図である。
【図１２】予約相対を説明するフローチャートである。
【図１３】転送を説明するフローチャートである。
【図１４】（ａ）が荷受を説明するフローチャートであり、（ｂ）が転送を説明するフローチャートである。
【図１５】予約相対品の引当を説明するフローチャートである。
【図１６】事前販売品の引当を説明するフローチャートである。
【図１７】相対、競売品の引当を説明するフローチャートである。
【図１８】小売向け出庫を説明するフローチャートである。
【図１９】帳票類を説明する図である。
【図２０】帳票類を説明する図である。
【図２１】競売の変形例を説明する図である。
【図２２】本実施形態での取引の精算を説明する図である。
【図２３】本実施形態での課金を説明する図であり、（ａ）は入荷から出荷までの取引別の課金先変遷タイムチャートであり、（ｂ）は課金の対象となる場所をリストした表である。
【図２４】建物が自動倉庫に接して建てられている場合の建物のレイアウトを示す図であり、（ａ）は建物が３階建ての場合、（ｂ）は建物が２階建ての場合を示す。
【図２５】青果などの卸売市場で行なわれる取引を説明する流れ図である。
【図２６】従来の問題点を説明する図である。
【図２７】従来の問題点を説明する図である。
【符号の説明】
【０１３８】
１０  …  建物（集荷及び分荷用の建物）
１０ａ…  自動倉庫（倉庫）
１１  …  １階（地上階）
１１ａ…  荷受場（入庫場所）
１１ｅ…  入出庫部（入庫場所）
１２  …  ２階（上層階）
１２ａ…  加工場
１３  …  ３階（上層階）
１３ｂ…  出荷場
１００…  管理サーバ（コンピュータ）
【図１】
2008117410.tif 000004
【図２】
2008117410.tif 000005
【図３】
2008117410.tif 000006
【図４】
2008117410.tif 000007
【図５】
2008117410.tif 000008
【図６】
2008117410.tif 000009
【図７】
2008117410.tif 000010
【図８】
2008117410.tif 000011
【図９】
2008117410.tif 000012
【図１０】
2008117410.tif 000013
【図１１】
2008117410.tif 000014
【図１２】
2008117410.tif 000015
【図１３】
2008117410.tif 000016
【図１４】
2008117410.tif 000017
【図１５】
2008117410.tif 000018
【図１６】
2008117410.tif 000019
【図１７】
2008117410.tif 000020
【図１８】
2008117410.tif 000021
【図１９】
2008117410.tif 000022
【図２０】
2008117410.tif 000023
【図２１】
2008117410.tif 000024
【図２２】
2008117410.tif 000025
【図２３】
2008117410.tif 000026
【図２４】
2008117410.tif 000027
【図２５】
2008117410.tif 000028
【図２６】
2008117410.tif 000029
【図２７】
2008117410.tif 000030